(57)【特許請求の範囲】
【請求項１】
行状のゲート線と、列状の信号線と、両者の各交差部に配置された行列状の画素と、を備えたアクティブマトリクス表示装置において、
前記ゲート線を線順次走査して一水平期間毎に一行分の前記画素を選択する垂直走査回路と、
映像信号を複数のビデオラインを通じて出力するシグナルドライバと、
一水平期間内で選択された一行分の前記画素に点順次で前記映像信号の書き込みを行うためのサンプリングパルスを出力する水平走査回路と、
前記信号線とビデオラインの交差部近傍にあって前記ビデオラインと接続し、前記サンプリングパルスに応じて開閉動作をし、前記映像信号を前記信号線に供給するクロススイッチと、
前記信号線の一端と更に先の信号線との間に接続され該水平走査回路からのサンプリングパルスに応じて開閉動作し、前記映像信号を更に先の信号線に供給する水平スイッチとを有し、
前記クロススイッチ及び水平スイッチを共にサンプリングパルスに応じて開閉動作し該映像信号を該信号線に供給することで、水平スイッチがオフ時、各ビデオラインとこれをまたぐ信号線の間に生じる配線クロス容量を低減するとともに、各ビデオラインから信号線の容量を切りはなすことを特徴とするアクティブマトリクス表示装置。
【発明の詳細な説明】
【０００１】
【発明の属する技術分野】
本発明はアクティブマトリクス表示装置に関し、特に行状のゲート線と、列状の信号線と、両者の各交差部に配置された行列状の画素と、を備えたアクティブマトリクス表示装置に関する。
【０００２】
【従来の技術】
液晶ディスプレイは、薄型化が容易で消費電力が小さく、カラー化しやすいといった特徴を持ち、ＯＡ機器等の表示画面に幅広く用いられている。また、近年はアクティブマトリクス型ＴＦＴ液晶ディスプレイ（ＡＭ−ＴＦＴ  ＬＣＤ：Active Matrix-Thin Film Transistor Liquid Crystal Display)が主流になっている。これは表示のドット１つひとつに薄膜トランジスタが電圧を加えるためのスイッチとして配置してあるもので、コントラストや応答速度、色純度などが優れている。
【０００３】
図５は、アクティブマトリクスＴＦＴ液晶ディスプレイの構成図である。アクティブマトリクスＴＦＴ液晶ディスプレイは、行状のゲート線Ｇと、列状の信号線Ｓと、を備えている。そして、両者の交差部には行列状の液晶画素ＬＣ１、ＬＣ２、…が配置してある。個々の液晶画素ＬＣ１、ＬＣ２、…は、薄膜トランジスタＴｒ１、Ｔｒ２、…により駆動される。
【０００４】
また、垂直走査回路１０は、各ゲート線Ｇを線順次走査して、一水平期間毎に一行分の液晶画素ＬＣ１、ＬＣ２、…を選択する。また、水平走査回路３０は、一水平期間内で映像信号を各信号線Ｓに順次サンプリングする。
【０００５】
各信号線Ｓは、水平スイッチ（ＨＳＷ１、ＨＳＷ２、ＨＳＷ３、…）を介してビデオラインＶに接続され、シグナルドライバ２０から映像信号の供給を受ける。そして、水平走査回路３０は順次水平サンプリングパルスＡ１、Ａ２、Ａ３、…を出力し、ＨＳＷ１、ＨＳＷ２、ＨＳＷ３、…の開閉制御を行う。
【０００６】
このようにして、ＨＳＷ１、ＨＳＷ２、ＨＳＷ３、…は、サンプリングパルスＡ１、Ａ２、Ａ３、…に応じて順次開閉し、映像信号を対応する信号線Ｓにサンプリングする。そして、選択された一行分の液晶画素ＬＣ１、ＬＣ２、…に映像信号が書き込まれる。
【０００７】
【発明が解決しようとする課題】
しかし、上記のような従来技術では、ビデオラインＶの本数が増えると配線クロス容量も増加することになる。
【０００８】
図６は、従来のビデオラインＶと信号線Ｓの配線クロス容量を示す図である。ここではＨＳＷを同時サンプリングした場合の構成を１ユニットとして図示してある。また、ビデオラインＶ１〜Ｖ６と、これをまたぐ信号線Ｓ１〜Ｓ６との配線クロス容量をＣ１で表す。さらに、ビデオラインＶ１〜Ｖ６と、ＨＳＷ１〜６をドライブするためのドライブラインＤと、の配線クロス容量をＣ２で表す。
【０００９】
１ユニットではビデオラインがＮ本ある場合のビデオライン１本当たりの配線クロス容量は、ＨＳＷ１〜６オフ時、（Ｎ−１）Ｃ１＋Ｃ２となる。図では、ビデオラインは６本あるので、１本当たりの配線クロス容量は、５Ｃ１＋Ｃ２となる。
【００１０】
例えば、ビデオラインＶ６の配線クロス容量は、点線で囲んだ範囲２００であるから、５Ｃ１＋Ｃ２である。同様にビデオラインＶ５の配線クロス容量は、破線で囲んだ範囲２１０であるから５Ｃ１＋Ｃ２である。
【００１１】
さらに、ＨＳＷ１〜６オンの時は、ビデオラインがＮ本ある場合のビデオライン１本当たりの配線クロス容量は、信号線容量ＣS （図示せず。）も加わり（Ｎ−１）Ｃ１＋Ｃ２＋ＣS となる。
【００１２】
このようにビデオラインＶの本数が増えると、ＨＳＷ１〜６がオン、オフいずれにたいしても配線クロス容量が大きくなり、シグナルドライバ２０の消費電流が増加するといった問題があった。
【００１３】
本発明はこのような点に鑑みてなされたものであり、シグナルドライバの消費電流を低減するアクティブマトリクス表示装置を提供することを目的とする。
【００１４】
【課題を解決するための手段】
本発明では上記課題を解決するために、行状のゲート線と、列状の信号線と、両者の各交差部に配置された行列状の画素と、を備えたアクティブマトリクス表示装置において、前記ゲート線を線順次走査して一水平期間毎に一行分の前記画素を選択する垂直走査回路と、映像信号を複数のビデオラインを通じて出力するシグナルドライバと、一水平期間内で選択された一行分の前記画素に点順次で前記映像信号の書き込みを行うためのサンプリングパルスを出力する水平走査回路と、前記信号線とビデオラインの交差部近傍にあって前記ビデオラインと接続し、前記サンプリングパルスに応じて開閉動作をし、前記映像信号を前記信号線に供給するクロススイッチと、前記信号線の一端と更に先の信号線との間に接続され該水平走査回路からのサンプリングパルスに応じて開閉動作し、前記映像信号を更に先の信号線に供給する水平スイッチとを有し、前記クロススイッチ及び水平スイッチを共にサンプリングパルスに応じて開閉動作し該映像信号を該信号線に供給することで、水平スイッチがオフ時、各ビデオラインとこれをまたぐ信号線の間に生じる配線クロス容量を低減するとともに、各ビデオラインから信号線の容量を切りはなすことを特徴とするアクティブマトリクス表示装置が提供される。
【００１５】
ここで、垂直走査回路は、ゲート線を線順次走査して一水平期間毎に一行分の画素を選択する。シグナルドライバは、映像信号をビデオラインを通じて出力する。水平走査回路は、一水平期間内で選択された一行分の画素に点順次で映像信号の書き込みを行うためのドライブ信号であるサンプリングパルスを出力する。クロススイッチは、信号線の一端にあってビデオラインと接続し、サンプリングパルスに応じて開閉動作をする。そして、映像信号を信号線に供給し、画素に映像を書き込む。
【００１６】
【発明の実施の形態】
以下、本発明の実施の形態を図面を参照して説明する。図１は、本発明のアクティブマトリクス表示装置の原理図である。アクティブマトリクス表示装置は、行状のゲート線Ｇと、列状の信号線Ｓと、を備えている。そして、両者の交差部には行列状の画素４ａ、４ｂ、４ｃ、…が配置してある。
【００１７】
垂直走査回路１は、ゲート線Ｇを線順次走査して一水平期間毎に一行分の画素４ａ、４ｂ、４ｃ、…を選択する。シグナルドライバ２は、映像信号をビデオラインＶを通じて出力する。水平走査回路３は、一水平期間内で選択された一行分の画素４ａ、４ｂ、４ｃ、…に点順次で映像信号の書き込みを行うためのドライブ信号であるサンプリングパルスを出力する。クロススイッチ５ａ、５ｂ、５ｃ、…は、信号線Ｓの一端にあってビデオラインＶと接続し、サンプリングパルスに応じて開閉動作をする。そして、映像信号を信号線Ｓに供給し、画素４ａ、４ｂ、４ｃ、…に映像を書き込む。
【００１８】
次に、動作について説明する。図２は、アクティブマトリクス表示装置の動作手順を示すフローチャートである。
〔Ｓ１〕垂直走査回路１は、ゲート線Ｇを線順次走査して一水平期間毎に一行分の画素４ａ、４ｂ、４ｃ、…を選択する。
〔Ｓ２〕シグナルドライバ２は、映像信号をビデオラインＶを通じて出力する。
〔Ｓ３〕水平走査回路３は、一水平期間内で選択された一行分の画素４ａ、４ｂ、４ｃ、…に点順次で映像信号の書き込みを行うためのサンプリングパルスを出力する。
〔Ｓ４〕クロススイッチ５ａ、５ｂ、５ｃ、…は、信号線Ｓの一端にあってビデオラインＶと接続し、サンプリングパルスに応じて開閉動作をし、映像信号を信号線Ｓに供給し、画素４ａ、４ｂ、４ｃ、…に映像を書き込む。
【００１９】
次に、本発明のクロススイッチ５ａ、５ｂ、５ｃ、…について説明する。図３は、クロススイッチと配線クロス容量とを示す図である。ＨＳＷを同時サンプリングした場合の構成を１ユニットとし、ビデオラインＶ及び信号線Ｓが共に６本ある場合である。
【００２０】
シグナルドライバ２は、ビデオラインＶ１〜Ｖ６を通じて映像信号を出力する。ビデオラインＶ１〜Ｖ６と信号線Ｓ１〜Ｓ６との各交差部の近傍には、クロススイッチ５ａ〜５ｆが設けてある。これらのクロススイッチ５ａ〜５ｆを介して、信号線Ｓ１はビデオラインＶ１に接続し、信号線Ｓ２はビデオラインＶ２に接続し、以降同様にして信号線Ｓ６はビデオラインＶ６に接続する。水平走査回路３は、サンプリングパルスを出力するドライブラインＤを通じて、クロススイッチ５ａ〜５ｆそれぞれの開閉制御を行う。
【００２１】
また、信号線Ｓの一端には水平スイッチＨＳＷ１〜６が接続され、水平走査回路３からのサンプリングパルスに応じてそれぞれ開閉動作を行い、映像信号を最終的に信号線Ｓ１〜Ｓ６に供給する。
【００２２】
また、ビデオラインＶ１〜Ｖ６と、これをまたぐ信号線Ｓ１〜Ｓ６との配線クロス容量をＣ１で表す。さらに、ビデオラインＶ１〜Ｖ６と、ドライブラインＤと、の配線クロス容量をＣ２で表す。
【００２３】
１ユニットにビデオラインがＮ本ある場合のビデオライン１本当たりの配線クロス容量は、ＨＳＷ１〜６オフ時、クロススイッチ５ａ〜５ｆもオフであるから、０である。
【００２４】
また、ＨＳＷ１〜６オン時、クロススイッチ５ａ〜５ｆもオンするので、ビデオラインがＮ本ある場合のビデオライン１本当たりの配線クロス容量は、（Ｎ−１）Ｃ１＋Ｃ２となる。したがって、ビデオラインＶは６本あるので、１本当たりの配線クロス容量は、５Ｃ１＋Ｃ２となる。
【００２５】
例えば、ビデオラインＶ６の配線クロス容量は、点線で囲んだ範囲１００であるから、５Ｃ１＋Ｃ２である。同様にビデオラインＶ５の配線クロス容量は、破線で囲んだ範囲１１０であるから５Ｃ１＋Ｃ２である。
【００２６】
さらに、信号線容量ＣS （図示せず。）も考慮すれば、実質的には１ユニットにビデオラインがＮ本ある場合のビデオライン１本当たりの配線クロス容量は、信号線容量ＣS も加わり（Ｎ−１）Ｃ１＋Ｃ２＋ＣS となる。
【００２７】
以上説明したように、本発明のアクティブマトリクス表示装置は、ビデオラインＶと信号線Ｓの交差部近傍にクロススイッチ５ａ〜５ｆを設けて、ＨＳＷ１〜６と共にサンプリングパルスに応じて開閉動作し、映像信号を信号線Ｓに供給する構成とした。これによりＨＳＷ１〜６がオフ時の配線クロス容量は、ほぼ０となるので、シグナルドライバ２の消費電流を低減させることが可能になる。
【００２８】
次に、ＨＳＷ１〜６を除いてクロススイッチ５ａ〜５ｆのみで映像信号を信号線Ｓに供給するアクティブマトリクス表示装置について説明する。図４は、クロススイッチと配線クロス容量とを示す図であり、ＨＳＷを持たない場合である。
【００２９】
シグナルドライバ２は、ビデオラインＶ１〜Ｖ６を通じて映像信号を出力する。ビデオラインＶ１〜Ｖ６と信号線Ｓ１〜Ｓ６との各交差部の近傍には、クロススイッチ５ａ〜５ｆが配置される。これらのクロススイッチ５ａ〜５ｆを介して、信号線Ｓ１はビデオラインＶ１に接続し、信号線Ｓ２はビデオラインＶ２に接続し、以降同様にして信号線Ｓ６はビデオラインＶ６に接続する。水平走査回路３は、サンプリングパルスを出力するドライブラインＤを通じて、クロススイッチ５ａ〜５ｆそれぞれの開閉制御を行う。
【００３０】
したがって、信号線Ｓの一端に水平スイッチＨＳＷ１〜６を持たないので、クロススイッチ５ａ〜５ｆが水平走査回路３からのサンプリングパルスに応じてそれぞれ開閉動作を行い、映像信号を信号線Ｓ１〜Ｓ６に直接供給する。
【００３１】
また、ビデオラインＶ１〜Ｖ６と、これをまたぐ信号線Ｓ１〜Ｓ６との配線クロス容量をＣ１で表す。さらに、ビデオラインＶ１〜Ｖ６と、ドライブラインＤと、の配線クロス容量をＣ２で表す。
【００３２】
１ユニットにビデオラインがＮ本ある場合のビデオライン１本当たりの配線クロス容量は、クロススイッチ５ａ〜５ｆオフ時は、０である。
さらに、１ユニットにビデオラインがＮ本ある場合のビデオライン１本当たりの配線クロス容量は、クロススイッチ５ａ〜５ｆオン時は、（Ｎ−１）Ｃ１＋Ｃ２となる。図では、ビデオラインは６本あるので、１本当たりの配線クロス容量は、５Ｃ１＋Ｃ２となる。
【００３３】
信号線容量ＣS （図示せず。）も考慮すれば、実質的には１ユニットにビデオラインがＮ本ある場合のビデオライン１本当たりの配線クロス容量は、クロススイッチ５ａ〜５ｆオン時は、信号線容量ＣS も加わり（Ｎ−１）Ｃ１＋Ｃ２＋ＣS となる。
【００３４】
以上説明したように、本発明のアクティブマトリクス表示装置は、ビデオラインＶと信号線Ｓの交差部近傍にクロススイッチ５ａ〜５ｆを設けて、サンプリングパルスに応じて開閉動作し、映像信号を信号線Ｓに直接供給する構成とした。これにより配線クロス容量が減少するので、シグナルドライバ４の消費電流を低減させることが可能である。さらに、ＨＳＷを持たないので回路規模の縮小が可能になる。
【００３５】
【発明の効果】
以上説明したように、本発明のアクティブマトリクス表示装置は、クロススイッチを信号線の一端とビデオラインとに接続して、サンプリングパルスに応じて開閉動作させ、映像信号を信号線に供給する構成とした。これにより配線クロス容量が減少するので、シグナルドライバの消費電流を低減させることが可能になる。
【図面の簡単な説明】
【図１】本発明のアクティブマトリクス表示装置の原理図である。
【図２】アクティブマトリクス表示装置の動作手順を示すフローチャートである。
【図３】クロススイッチと配線クロス容量とを示す図である。
【図４】クロススイッチと配線クロス容量とを示す図であり、ＨＳＷを持たない場合である。
【図５】アクティブマトリクスＴＦＴ液晶ディスプレイの構成図である。
【図６】従来のビデオラインと信号線の配線クロス容量を示す図である。
【符号の説明】
１……垂直走査回路、２……シグナルドライバ、３……水平走査回路、４ａ、４ｂ、４ｃ……画素、５ａ、５ｂ、５ｃ……クロススイッチ。
【図１】
0003711665.tif 000002
【図２】
0003711665.tif 000003
【図３】
0003711665.tif 000004
【図４】
0003711665.tif 000005
【図５】
0003711665.tif 000006
【図６】
0003711665.tif 000007